(57)【要約】      （修正有）【課題】軽量，小型でポケット等に収納できる携帯ミニ眼鏡ケースを提供する。【解決手段】この眼鏡ケースは硬質材（ステンレス材）と軟質材（皮部）が重合されている平板部材を２つ折りして眼鏡のレンズ１０の部分の挿入される眼鏡レンズ収納部４とこれを覆うカバー部５からなり、眼鏡レンズ収納部４内の中央には鼻当て部９で挟持される硬質柱体６が固定され、その両側にはレンズ１０を保持する空間部１１が形成され、この空間部の両側の端縁１１ａは開放されている。カバー部５は眼鏡レンズ収納部４内に眼鏡８が収納された後、眼鏡レンズ収納部４に止め具により止められ、眼鏡８のつる１２の部分を保持する。【選択図】図１
0003133770.tif 000002
【実用新案登録請求の範囲】
【請求項１】
小型軽量でポケット等に収納でき変形の少ない眼鏡ケースであって、該眼鏡ケースは、２つ折りで形成される眼鏡レンズ収納部とこれを覆って着脱可能に止着されるカバー部とに区分けされ前記眼鏡レンズ収納部側が薄厚の硬質材と軟質材とを重合したものからなり、前記カバー部側が前記軟質材のみからなる平板部材を２つ折り重ねしたものからなり、前記眼鏡レンズ収納部は、その内部の中央に眼鏡の鼻当て部を保持する硬質柱体を配置しその両側に眼鏡レンズを収納しその端縁を開放する空間部を形成するものからなることを特徴とする携帯ミニ眼鏡ケース。
【請求項２】
前記眼鏡レンズ収納部が前記硬質材を軟質材で挟み込んだものからなり、前記カバー部が前記軟質材を二層に重ね合わせたものからなることを特徴とする請求項１に記載の携帯ミニ眼鏡ケース。
【請求項３】
前記硬質材がステンレス材からなり、前記硬質材が皮材からなることを特徴とする請求項１に記載の携帯ミニ眼鏡ケース。
【請求項４】
前記硬質柱体が中硬材からなり、肉抜き部が形成されることを特徴とする請求項１に記載の携帯ミニ眼鏡ケース。
【考案の詳細な説明】
【技術分野】
【０００１】
本考案は、眼鏡ケースに係り、特に、小型軽量であり、収納される眼鏡の大きさに関係なくポケット等内に完全に、かつ安全に収納できる携帯ミニ眼鏡ケースに関する。
【背景技術】
【０００２】
一般に、眼鏡ケースは身側ケースと蓋側ケースを蝶番等で結合させ身側ケース内に眼鏡メガネを収納して蓋側ケースによって全体を閉止するものが主流である。また、差し込みタイプものもあるが、このものは縫製のもので収納部を袋体のものであり、大きなものとなりポケットへの収納が難しく、かつ低強度なものが殆どである。
一方、眼鏡ケースに関する公知技術は極めて多いが、比較的本考案と似ているものとして「特許文献１」及び「特許文献２」が挙げられる。
【特許文献１】特開２００３−１１６６１７号（図１）
【特許文献２】登録実用新案第３０４８３２８号（図１）
【考案の開示】
【考案が解決しようとする課題】
【０００３】
「特許文献１」の「特開２００３−１１６６１７号」の「眼鏡破損防止クッション付眼鏡ケース」は平板状の眼鏡カバーの一端面にクッションを貼着し、このクッション上に眼鏡全体を乗せてクッションの貼着していない眼鏡カバーの部分で眼鏡を覆って閉じ具により閉止して眼鏡を収納するものである。一枚の平板部材を用いることにおいて本考案と似ている点もあるが、収納されている眼鏡の収納姿勢が不安定であり、落下し易い問題点があると共に外力の作用に対しての抵抗力がよく、収納している眼鏡を損傷させる問題点が生ずる。
また、「特許文献２」の「登録実用新案第３０４８３２８号」の「眼鏡ケース」はケース本体内に眼鏡をすっぽり収納し、ケース本体にヒンジ結合している蓋体を閉止して眼鏡を収納するものである。ケース本体側に鼻当て部の保持具があり、その点において本考案と似ている点もあるが、全体が大型であり、重量もあり、ポケット等内に収納して安全に携帯できるものではない。
【０００４】
本考案は、以上の事情に鑑みて考案されたものであり、眼鏡のサイズや型式に関係なく、ほぼすべての眼鏡が収納でき、小型で軽量に形成されてポケット等内に自由に収納でき、外力に対する抵抗力も高く変形や損傷が殆どない携帯ミニ眼鏡ケースを提供することを目的とする。
【課題を解決するための手段】
【０００５】
本考案は、以上の目的を達成するために、請求項１の考案は、小型軽量でポケット等に収納でき変形の少ない眼鏡ケースであって、該眼鏡ケースは、２つ折りで形成される眼鏡レンズ収納部とこれを覆って着脱可能に止着されるカバー部とに区分けされ前記眼鏡レンズ収納部側が薄厚の硬質材と軟質材とを重合したものからなり、前記カバー部側が前記軟質材のみからなる平板部材を２つ折り重ねしたものからなり、前記眼鏡レンズ収納部は、その内部の中央に眼鏡の鼻当て部を保持する硬質柱体を配置しその両側に眼鏡レンズを収納しその端縁を開放する空間部を形成するものからなることを特徴とする。
【０００６】
また、請求項２の考案は、前記眼鏡レンズ収納部が前記硬質材を軟質材で挟み込んだものからなり、前記カバー部が前記軟質材を二層に重ね合わせたものからなることを特徴とする。
【０００７】
また、請求項３の考案は、前記硬質材がステンレス材からなり、前記硬質材が皮材からなることを特徴とする。
【０００８】
また、請求項４の考案は、前記硬質柱体が中硬材からなり、肉抜き部が形成されることを特徴とする。
【考案の効果】
【０００９】
本考案の請求項１の携帯ミニ眼鏡ケースによれば、本考案の眼鏡ケースは、平板部材を２つ折りに折り曲げて眼鏡レンズ収納部とこれを覆うカバー部とを形成し、眼鏡レンズ収納部は硬質材と軟質材とを重合すると共に内部に鼻当て部を保持して立設する硬質柱体を設けることにより外力に対して抵抗力のある変形し難いものとなる。また、眼鏡レンズ収納部はレンズを収納し端縁を開放する空間部を形成するため、すべての眼鏡が収納できる特徴を有し、かつ横寸法が短いものとなり、小型化が図れる。また、平板部材は薄厚の硬質材及び軟質材を重合したものから軽量化が図れる。
【００１０】
また、本考案の請求項２の携帯ミニ眼鏡ケースによれば、眼鏡レンズ収納部の内側に軟質材を配置するためレンズの損傷が防止される。また、カバー部を二層にすることにより軟質材を極薄のものにすることができ、また、外観美の向上を図ることができる。
【００１１】
また、本考案の請求項３の携帯ミニ眼鏡ケースによれば、硬質材がステンレス材からなり、軟質材が皮材からなるため、高強度なものとなり、かつ外観美のあるものを形成することができる。
【００１２】
また、本考案の請求項４の携帯ミニ眼鏡ケースによれば、硬質柱体が適度の硬さを有し、眼鏡を安全に保持し得る中硬材からなるため、外力に抵抗し得ると共に鼻当て部を損傷することがない。また、肉抜き部を形成することにより軽量化が図れる。
【考案を実施するための最良の形態】
【００１３】
以下、本考案の携帯ミニ眼鏡ケースの実施の形態を図面を参照して詳述する。
図１乃至図３は本考案の携帯ミニ眼鏡ケース１００とこれに収納されている眼鏡８を示すものである。携帯ミニ眼鏡ケース１００の詳細構造は後に説明するが、図示のように眼鏡８はその鼻当て部９（図２，図３）を硬質柱体６（図２，図３）に挟持された状態で携帯ミニ眼鏡ケース１００内に保持され、そのレンズ１０の部分が空間部１１に収納されて保持される。この場合、レンズ１０の部分は大部分が空間部１１内に収納されるが、つる１２部分は空間部１１からはみ出した状態で保持される。これは空間部１１の端縁１１ａ側は開放されているためである。はみ出した状態にあるつる１２の部分はカバー部５の閉止により図示のものに保持されることになる。以上により、携帯ミニ眼鏡ケース１００の横寸法は短くでき、本実施例では例えば、横寸法ａが１３ｃｍでよく、縦寸法ｂが５．５ｃｍでよく、高さ寸法ｃが２．５ｃｍでも十分なものとなる。よって、横寸法ａ＋縦寸法ｂ＋高さ寸法ｃが２１ｃｍとなり、既存の眼鏡ケースのいずれよりも小型であり、ポケット等への収納も容易にできる。勿論、総量が２１ｇであり、軽量のものとなる。
【００１４】
次に、携帯ミニ眼鏡ケース１００の構造を説明する。図４は携帯ミニ眼鏡ケース１００を開いた平板部材１を示すものである。この平板部材１は硬質材と軟質材を重合したものからなるが、本実施例では硬質材としてステンレス材２を採用し、軟質材として皮材３を採用しているが勿論これ等に限定するものではない。図４に示すように皮材３は広面積のものからなり、説明の都合上、Ａ部分とＢ部分とからなる。Ａ部分は眼鏡レンズ収納部４になる部分であり、Ｂ部分がカバー部５になる部分である。Ａ部分は例えばステンレス材２を皮材３，３で挟み込んだものからなり、Ｂ部分は皮材３，３を重ね合わせたものからなる。これ等の連結は接着剤によって行われるのが一般であるが、刺繍によって縫合して外観美を向上させブランド化することも可能である。
【００１５】
以上の構造の図４に示す平板部材１は図５に示すようにＢ部分のみが２つ折りに折り曲げられ眼鏡レンズが収納部４を形成する。また、Ａ部分は図１等に示すように眼鏡レンズ収納部４を覆うように曲げられ両者は止め具７により着脱可能に連結される。なお、止め具７としては着脱可能のものであればよく、例えば、マジックテープや磁石フック等が適用されるが、勿論、それ等に限定するものではない。
【００１６】
図６はステンレス材２の構造を示す平面図である。このステンレス材２は図４のＢ部分に相当する形状のものからなるが図示のように左右と上面側の中央にノッチ１３，１３，１３ａが形成される。このノッチ１３，１３はステンレス材２をノッチ１３，１３の部分で２つ折りし易いようにするためのものであり、ノッチ１３ａはノッチ１３と１３ａとの間を結ぶ鎖線１４に沿ってステンレス材２が曲げ安くするためのものである。また、図６ではステンレス材２の厚みが明示されていないが、極薄厚のものである。例えば、０．２ｍｍ程度の肉厚のものが採用される。
【００１７】
図５に示す眼鏡レンズ収納部４はその中央に硬質柱体６を固着するものからなる。図２や図３に示すように、眼鏡レンズ収納部４は硬質柱体６から端縁に向かってやや傾斜した状態で曲げられ（この傾斜は図６の鎖線１４によって形成される）空間部１１を形成する。この空間部１１には眼鏡８が収納される空間である。なお、空間部１１はその端縁１１ａが開放されている。このため、眼鏡８は端縁からはみ出した状態で収納される。これにより大きさの異なる眼鏡８のすべてが空間部１１内に収納可能となる。
また、つる１２の部分は空間部１１内に収納されないが、眼鏡レンズ収納部４を覆うカバー部５によって保持され露出が防止される。
【００１８】
図７は、硬質柱体６の一例を示すものである。眼鏡レンズ収納部４は２つ折りされる基端側に対して開放側が開いた形状となるため、硬質柱体６は図７（ａ）に示すように開口側６ａから基端側６ｂに向かって傾斜した形状のものからなる。なお、基端側６ｂの高さも眼鏡８が入り込むことの可能な大きさとなる。この開口側６ａや基端側６ｂの寸法はステンレス材２の折り曲げによって所望の大きさにすることができる。また、硬質柱体６の幅寸法は図７（ｂ），（ｃ）に示すように眼鏡８の鼻当て部９，９を挟持し得る寸法のものからなる。また、硬質柱体６は無空のものでもよいが、軽量化のため肉抜きすることが望ましい。本実施例では基端側６ｂの部分に切込み部１５が形成され、肉抜きをしているが、この形状や位置に限定するものではない。
【００１９】
図１乃至図３に示すように、眼鏡８は折り畳まれた状態で携帯ミニ眼鏡ケース１００内に収納される。この場合、前記のように眼鏡８の端縁側は携帯ミニ眼鏡ケース１００の両端からはみ出ることがあるが、全体としては携帯ミニ眼鏡ケース１００内に収納され、つる１２の部分はカバー部５により保持される。
本考案によれば、以上の形態の携帯ミニ眼鏡ケース１００の全体の大きさとしては、例えば、図１及び図２に示すように、横寸法ａが１３０ｍｍ，縦寸法ｂが５５ｍｍ，高さ寸法ｃが２５ｍｍ程度のものからなり、これ等の寸法の総和が２１０ｍｍとなり、既存の眼鏡ケースの内では最小のものとなる。また、携帯ミニ眼鏡ケース１００は前記のように平板部材１を２つ折りに折り曲げたものからなり、軽量に形成され、本実施例の場合は総重量が２１ｇとなり、既存の眼鏡ケースのいずれのものより軽量となる。以上のように携帯ミニ眼鏡ケース１００は小寸及び軽量のものからなるため、ポケットに収納でき、常時携帯することが可能となる。これにより、眼鏡の忘れが防止され、かつ使用時にはポケット等から取り出せばよく、極めて便利である。
【００２０】
また、表皮が皮材３により形成されるため、高級で模様入りのものを採用することができる。また、全体を手縫いして高級感を生じさせることができ、かつブランド化も可能である。
【００２１】
本考案の携帯ミニ眼鏡ケース１００は以上の構造のものからなるが、勿論、構造は以上の説明の内容に限定されるものではなく、同一の技術的範疇のものが適用されることは勿論である。
【産業上の利用可能性】
【００２２】
本考案は、すべての形態，形式眼鏡に適用可能であると共に、準眼鏡的のものにも適用可能であり、その利用範囲は広い。
【図面の簡単な説明】
【００２３】
【図１】眼鏡を収納した本考案の携帯ミニ眼鏡ケースを示す平面図。
【図２】図１のＡ矢視図（カバー部を開いた状態）。
【図３】図１のＢ矢視図。
【図４】平板部材を示す平面図。
【図５】図４の平板部材を折り曲げた状態を示す平面図。
【図６】携帯ミニ眼鏡ケースに用いられているステンレス材の平面図。
【図７】携帯ミニ眼鏡ケースに用いられている硬質柱体を示す側面図（ａ），Ｃ−Ｃ断面図（ｂ），Ｃ矢視図（ｃ）。
【符号の説明】
【００２４】
１      平板部材
２      ステンレス材
３      皮材
４      眼鏡レンズ収納部
５      カバー部
６      硬質柱体
７      止め具
８      眼鏡
９      鼻当て部
１０    レンズ
１１    空間部
１１ａ  端縁
１２    つる
１３    ノッチ
１３ａ  ノッチ
１４    鎖線
１５    切込み部
１００  携帯ミニ眼鏡ケース
【図１】
0003133770.tif 000003
【図２】
0003133770.tif 000004
【図３】
0003133770.tif 000005
【図４】
0003133770.tif 000006
【図５】
0003133770.tif 000007
【図６】
0003133770.tif 000008
【図７】
0003133770.tif 000009